(57)【要約】      （修正有）【課題】左右任意の長さで調整ができ、調整部が邪魔にならないカメラストラップを提供する。【解決手段】一端にカメラ接続部を有する２本の第１のストラップ１と第２のストラップ２と両端にストラップ接続部５，６を有する第３のストラップ３と両端に穴を有するパットからなる構造で、第１のストラップの端９と第２のストラップの端１０をパットの両端の穴を通し、第３のストラップの両端にあるストラップ接続部５，６によりパッドの上部で任意の位置で接続させることで、ストラップ接続部とストラップの端がパットの上部に位置するため邪魔にならず、左右任意の長さに調整する事ができ、円滑にカメラを操作することができる。【選択図】図１
0003185657.tif 000002
【実用新案登録請求の範囲】
【請求項１】
カメラに着脱可能に取り付けられるストラップで、少なくとも３本以上のストラップとパットからなり、第１のストラップ１の端９と第２のストラップ２の端１０をパット４の両端にある穴７，８を通し、第３のストラップが両端に有するストラップ接続部５，６でそれぞれ任意の位置で固定することで、ストラップ接続部５，６と第１のストラップの端９と第２のストラップの端１０がそれぞれパットの上部に位置するカメラストラップ。図１
【請求項２】
前記カメラに着脱可能に取り付けられるストラップで、少なくとも３本以上のストラップからなり、一端にカメラ接続部、他端にストラップ接続部をそれぞれ有する第１のストラップ２１と第２のストラップ２２のストラップ接続部２５，２６を第３のストラップが有する穴２７，２８にそれぞれ通し、第３のストラップが有する複数の長さ調整固定部３１の中から任意の固定部に接続することで左右任意の長さで調整を行うことができるカメラストラップ。図２
【考案の詳細な説明】
【技術分野】
【０００１】  この考案はカメラストラップに関するものである。
【背景技術】
【０００２】  カメラを首や肩等にかけるために、カメラに着脱可能に装着される、左右任意の長さで調整が可能なカメラストラップがある。このカメラストラップは一端にカメラ接続部、他端にストラップ接続部をそれぞれ持つ第１のストラップ４１と第２のストラップ４２を有しストラップ接続部４３、４４、で第３のストラップ４９をそれぞれ任意の位置で固定することで左右任意の長さでストラップを調整することができる。図３
【考案の概要】
【考案が解決しようとする課題】
【０００３】  しかしながら以上の技術によれば、例えばカメラストラップ図３を首からかけて装着した際にストラップ接続部４３、４４と第３のストラップの両端４７、４８はストラップ上で人とカメラの間に位置する。
そのため撮影時等のカメラ操作時にストラップ接続部４３，４４や第３のストラップの両端４７、４８が何かに引っかかって操作の邪魔になってしまうことがあったり、また着脱時にも衣類等に引っかかってしまうことがあった。【０００４】  本考案はかかる事情に鑑みてなされたものであり、その目的は、撮影時等のカメラ操作時や着脱時に邪魔になることがなく、左右それぞれストラップの長さを任意で調整することができる機能を持ったカメラストラップを提供することである。
【課題を解決するための手段】
【０００５】  上述した従来技術の問題点を解決し、上述した目的を達成するために、本考案のカメラストラップは、一端にストラップ接続部５と他端にストラップ接続部６を有しパット４の上部に位置する第３のストラップ３と一端にカメラ接続部を有する第１のストラップ１、第２のストラップ２の３本以上のストラップからなるカメラストラップ図１、又は複数の長さ調整固定部３１を有する第３のストラップ２３と一端にカメラ接続部、他端にストラップ接続部をそれぞれ有する第１のストラップ２１、第２のストラップ２２の３本以上のストラップからなるカメラストラップ図３である。
図１のストラップは上記構造により第１のストラップ１と第２のストラップ２をストラップ接続部５、６により任意の位置に固定することで左右任意の長さでカメラストラップを調整することができる。図３では第３のストラップ２３に設けられた複数の長さ調整固定部３１に、第１のストラップ２１の一端にあるストラップ接続部２５と第２のストラップ２２の一端にあるストラップ接続部２６をそれぞれ任意の位置で固定することで左右任意の長さでカメラストラップを調整することができる。
【考案の効果】
【０００６】  ストラップ接続部５、６、また第１のストラップ１の端９と第２のストラップ２の端１０がパッド４の上に位置し、ストラップループ１１、１２により第３のストラップと束ねられているため撮影時等のカメラ操作時に邪魔にならない。図１【０００７】  第１のストラップ２１の一端にあるストラップ接続部２５と第２のストラップ２２の一端にあるストラップ接続部２６を第３のストラップ２３に設けられた複数の長さ調整固定部３１の任意の固定部へそれぞれ接続することで、接続部は第３ストラップの中間に位置するため撮影時等のカメラ操作時に邪魔にならない。図２
【図面の簡単な説明】
【０００８】
【図１】図１は本考案の実施形態に係わる第１のストラップ１と第２のストラップ２と両端にストラップ接続部５，６を有する第３のストラップ３と両端に穴７、８を有するパット４からなる左右任意の長さで調整できる機能を有するカメラストラップの全体外観図である。
【図２】図２は本考案の実施形態に係わる一端にカメラ接続部、他端にストラップ接続部を有する第１のストラップ２１と第２のストラップ２２と両端に穴２７、２８と複数の長さ調整固定部３１を有する第３のストラップ２３からなる左右任意の長さで調整できる機能を有するカメラストラップの全体外観図である。
【図３】図３は本考案の背景技術に係わる左右任意の長さで調整できる機能を有するカメラストラップの全体外観図である。
【考案を実施するための形態】
【０００９】以下、本考案の実施形態に係わる左右任意の長さで調整できる機能を有するカメラストラップについて説明する。
図１及び図２は、本考案の実施形態に係わる左右任意の長さで調整できる機能を有するカメラストラップの全体外観図である。図１は一端にカメラ接続部１５を有する第１のストラップ１と一端にカメラ接続部１６を有する第２のストラップ２と両端にストラップ接続部５、６を有する第３のストラップ３と両端に穴７、８を有するパッド４からなる左右任意の長さで調整できる機能を有するカメラストラップの全体外観図である。図２は一端にカメラ接続部２９と他端にストラップ接続部２５を有する第１のストラップ２１と一端にカメラ接続部３０と他端にストラップ接続部２６を有する第２のストラップ２２と両端に穴２７，２８と複数の長さ調整固定部３１を有する第３のストラップ２３からなる左右任意の長さで調整できる機能を有するカメラストラップの全体外観図である。
【００１０】  図１の時、カメラストラップが３本以上のストラップとパットにより構成される際は、第１のストラップ１の端９と第２のストラップ２の端１０をパット４の両端にある穴７，８にそれぞれ通し、パット４の上部で第３のストラップ３が両端にそれぞれ有するストラップ接続部５，６でそれぞれ任意の位置で固定することで左右任意の長さに調整ができる。第１のストラップ１と第２のストラップ２を第３のストラップ３に固定後、ストラップ接続部カバー１３，１４でストラップ接続部をパットの端ごと覆うことでカメラストラップの着脱時に衣類等に引っかかりにくくなり、またストラップ接続部５，６が金属等の硬い素材の場合、ストラップ接続部がカメラにぶつかり、カメラを傷つけてしまうことを防ぐことができる。
また第１ストラップの端９と第２ストラップの端１０はストラップループ１１、１２によりそれぞれ第３のストラップ３と束ねられている。
ストラップ全体の長さを短く調整する場合はストラップの端９、１０をそれぞれ、パット４の中心により近いところまで引っぱり固定する。
【００１１】  図２の時、複数の長さ調整固定部３１を有する第３のストラップ２３を含めた３本以上のストラップから構成される際は、第１のストラップ２１の一端にあるストラップ固定部２５と第２のストラップ２２の一端にあるストラップ固定部２６を第３のストラップ２３の両端にある穴２７，２８にそれぞれ通し、任意の長さ調整固定部３１で固定することで左右任意長さに調整する事ができる。第１のストラップ２１と第２のストラップ２２を第３のストラップ２３に固定後、第３ストラップカバー２４で覆うことでカメラストラップの着脱時に衣類等に引っかかりにくくなり、またストラップ接続部２５，２６や長さ調整固定部３１が金属等の硬い素材の場合、ストラップ接続部がカメラにぶつかり、カメラを傷つけてしまうことを防ぐことができる。
【００１２】  図１の時、ストラップ接続部５、６の素材、形状、向き、ストラップ１、２，３の素材、長さ、幅、厚さ、形状、向き、カメラ接続部１５，１６の素材、長さ、形状、向き、固定方法、カメラとの接続方法は限定されない。またストラップがストラップ接続部５、６により接続される方法、向きは限定されない。さらに、第１のストラップ１、第２のストラップ２、第３のストラップ３、パッド４およびカメラ接続部１５、１６の幅や厚み、長さは任意である。
パッド４の有する穴７，８はストラップを通すループやガイド等でも良く、形状は穴に限定されず、素材、ストラップを通す方向は限定されない。
【００１３】  図２の時、ストラップ接続部２５と２６の素材、形状、向き、ストラップ２１、２２、２３の素材、長さ、幅、厚さ、形状、向き、長さ調整固定部３１の素材、形状、向き、数、カメラ接続部２９、３０の素材、長さ、形状、向き、固定方法、カメラとの接続方法は限定されない。またストラップ２１，２２，２３がストラップ接続部２５、２６と長さ調整固定部３１により接続される向き、接続方法は限定されない。さらに、第１のストラップ２１、第２のストラップ２２、第３のストラップ２３、およびカメラ接続部２９，３０の幅や厚み、長さは任意である。
第３のストラップの有する穴２７，２８はストラップを通すループやガイド等でも良く、形状は穴に限定されず、素材、ストラップを通す方向は限定されない。
【００１４】  本考案は上述した実施形態には限定されない。
すなわち、当事者は、本考案の技術的範囲またはその均等の範囲内において、上述した実施形態の構成要素に関し、様々な変更、コンビネーション、サブコンビネーション、並びに代替を行ってもよい。
【００１５】  図１の実施形態によれば、パット４の上部に第３のストラップ３が有するストラップ接続部５、６、第１のストラップ１の端９と第２のストラップ２の端１０が位置するため邪魔にならず、ストラップを左右任意の長さで調整することができ、円滑にカメラを操作することができる。
【００１６】  図２の実施形態によれば、第３のストラップ２３が有する両端の穴２７、２８に第１のストラップ２１と第２のストラップ２２をそれぞれ通した後に、複数の長さ調整固定部３１から任意の固定部に第１のストラップ２１のストラップ接続部２５と第２のストラップ２２のストラップ接続部２６を固定することで、接続部とストラップの端が第３ストラップの中間に位置するため邪魔にならず、ストラップを左右任意の長さで調整することができ、円滑にカメラを操作することができる。
【産業上の利用可能性】
【００１７】本考案は、カメラに取り付けられるカメラ用ストラップに適用可能である。
【符号の説明】１・・・一端にカメラ接続部を有する第１のストラップ
２・・・一端にカメラ接続部を有する第２のストラップ
３・・・両端にストラップ接続部を持つ第３のストラップ
４・・・両端に第１のストラップと第２のストラップを通す穴を持つパット
５・・・ストラップ接続部
６・・・ストラップ接続部（透視図）
７・・・パットの第１のストラップを通す穴
８・・・パットの第２のストラップを通す穴（透視図）
９・・・第１のストラップの端
１０・・・第２のストラップの端
１１・・・ストラップループ
１２・・・ストラップループ
１３・・・ストラップ接続部カバー
１４・・・ストラップ接続部カバー
１５・・・カメラ接続部
１６・・・カメラ接続部
２１・・・一端にカメラ接続部を有し他端にストラップ接続部を有する第１のストラップ
２２・・・一端にカメラ接続部を有し他端にストラップ接続部を有する第２のストラップ
２３・・・複数の長さ調整固定部を有する第３のストラップ
２４・・・第３ストラップカバー
２５・・・ストラップ接続部
２６・・・ストラップ接続部
２７・・・第３ストラップが有する第１ストラップを通す穴
２８・・・第３ストラップが有する第２ストラップを通す穴
２９・・・カメラ接続部
３０・・・カメラ接続部
３１・・・長さ調整固定部
４１・・・一端にカメラ接続部を有し他端にストラップ接続部を有する第１のストラップ
４２・・・一端にカメラ接続部を有し他端にストラップ接続部を有する第２のストラップ
４３・・・ストラップ接続部
４４・・・ストラップ接続部
４５・・・カメラ接続部
４６・・・カメラ接続部
４７・・・第３のストラップの一端
４８・・・第３のストラップの他端
４９・・・第３のストラップ
【図１】
0003185657.tif 000003
【図２】
0003185657.tif 000004
【図３】
0003185657.tif 000005
【手続補正書】
【提出日】平成25年6月11日(2013.6.11)
【手続補正１】
【補正対象書類名】実用新案登録請求の範囲
【補正対象項目名】全文
【補正方法】変更
【補正の内容】
【実用新案登録請求の範囲】
【請求項１】
カメラに着脱可能に取り付けられるストラップで、少なくとも３本以上のストラップとパットからなり、第１のストラップの端と第２のストラップの端をパットの両端にある穴を通し、第３のストラップが両端に有するストラップ接続部でそれぞれ任意の位置で固定することで、ストラップ接続部と第１のストラップの端と第２のストラップの端がそれぞれパットの上部に位置することを特徴とするカメラストラップ。
【請求項２】
カメラに着脱可能に取り付けられるストラップで、少なくとも３本以上のストラップからなり、一端にカメラ接続部、他端にストラップ接続部をそれぞれ有する第１のストラップと第２のストラップの接続部を第３のストラップが両端に有する穴にそれぞれ通し、第３のストラップが有する複数の長さ調整固定部の中から任意の固定部に接続することで左右任意の長さで調整を行うことができる特徴を持つカメラストラップ。